(57)【要約】【課題】正確な方向性および距離感が容易に得られるパターゴルフクラブを提供する。【解決手段】所定のロフト角θ１が付されたフェース２およびバックフェース４を含むパターヘッド１と、係るパターヘッド１のバックフェース２側に突出し且つ軸心１２が上記フェース２と直交(θ２＝９０度)する方向指示棒１０と、を含み、係る方向指示棒１０の軸心１２は、上記パターヘッド１の重心Ｇを通過するパターゴルフクラブ。【選択図】  図２
2005087554.tif 000002
【特許請求の範囲】
【請求項１】
所定のロフト角が付されたフェースおよびバックフェースを含むパターヘッドと、
上記パターヘッドのバックフェース側に突出し且つ軸心が上記フェースと直交する方向指示棒と、を含む、
ことを特徴とするパターゴルフクラブ。
【請求項２】
前記方向指示棒は、その軸心が前記パターヘッドの重心を通過する、ことを特徴とする請求項１に記載のパターゴルフクラブ。
【請求項３】
前記方向指示棒は、前記パターヘッドのバックフェースにネジ結合されている、
ことを特徴とする請求項１または２に記載のパターゴルフクラブ。
【請求項４】
前記方向指示棒は、精密鋳造により成形される前記パターヘッドのバックフェース側に一体に形成されている、
ことを特徴とする請求項１または２に記載のパターゴルフクラブ。
【発明の詳細な説明】
【技術分野】
【０００１】
本発明は、打球の方向性に優れ且つ正確な距離感を容易に得ることができるパターゴルフクラブに関する。
【背景技術】
【０００２】
一般に、パターゴルフクラブにおけるパターヘッドのフェース面には、３〜５度のロフト角が付けられている。係るロフト角により、ボールをわずかに打ち上げてグリーン上を転がり易くしている。また、カップまでの距離が短い場合、ボールの浮き上がりを少なくして水平方向に押し出すように打つこともある。
ところで、パターヘッドのフェースを垂直姿勢とした状態で打球可能とするため、係るヘッドの上面にフェースが垂直になると気泡が定位置になる水準器を取り付けるパターが提案されている(例えば、特許文献１参照)。
【０００３】
【特許文献１】実開昭５７−３４２５４号公報 (第１図)
【０００４】
しかし、前記水準器を取り付けたパターであっても、気泡は常に揺れ動くため、フェースを垂直姿勢にしつつ打球することは、上級者でも困難であった。
一方、図７に示すようなパターヘッド２０も検討されている。係るパターヘッド２０は、純鉄などの金属からなり、ロフト角を付されたフェース２２、バックフェース２４、係るバックフェース２４から後方に延びたバック片２５、ソール２６、トウ２７、ヒール２８、およびホーゼル２９を一体に有する。上記バック片２５の上面には、平面視においてフェース２２と直交するラインＬが付けられている。また、ホーゼル２９は、図示しないシャフトに取り付けられる。
【０００５】
前記ラインＬを付けたパターヘッド２０によれば、地面が水平な際には、バック片２５側を僅かに持ち上げて、フェース２２を垂直につつラインＬに沿ってパターヘッド２０をスウィングすると、ボールの重心付近に打球の中心が伝わるため、所望の方向および距離でパッティングすることが可能となる。
しかし、図８に示すように、傾斜地ＧＬ２の芝ｓ上に位置するボールＢに対して、その斜面に沿ってパターヘッド２０を置き、図示で奥行き方向に向かってパッティングする場合、係るボールＢの重心Ｂｇを通る本来の垂直軸Ｂｈに対し、垂直線Ｂｖは傾斜角度分だけ低い側にズレる。しかも、前記パターヘッド２０のフェース２２を垂直姿勢にすると、前記ラインＬは、ゴルファーの視覚において、フェース２２に対して斜め向きとなって目視される。
【発明の開示】
【発明が解決しようとする課題】
【０００６】
このため、ラインＬの長手方向に沿ってパターヘッド２０をスウィングすると、本来打球の中心とすべき重心Ｂｇ直下の目標点Ｍではなく、垂直軸Ｂｈにおける重心Ｂｇ直下の位置Ｄにフェース２２の打球の中心が当たる。この結果、図８中のカーブした太い矢印で示すように、ボールＢは、狙った方向よりも図示で左方向に曲がって打ち出される。従って、正確な方向や距離感が得られない、という問題があった。
本発明は、以上に説明した背景技術の問題点を解決し、正確な方向性および距離感が容易に得られるパターゴルフクラブを提供する、ことを課題とする。
【課題を解決するための手段および発明の効果】
【０００７】
本発明は、上記課題を解決するため、パターヘッドのフェースと直交する方向指示棒をバックフェース側に突設する、ことに着想して成されたものである。
即ち、本発明のパターゴルフクラブ(請求項１)は、所定のロフト角が付されたフェースおよびバックフェースを含むパターヘッドと、係るパターヘッドのバックフェース側に突出し且つ軸心が上記フェースと直交する方向指示棒と、を含む、ことを特徴とする。
【０００８】
これによれば、方向指示棒の軸方向に沿ってパターヘッドをスウィングすることにより、平坦地は基より傾斜地であっても、常に方向指示棒の軸心がボールの重心を通る線に構えるだけで、所望の方向にパッティングすることができる。即ち、突出した方向指示棒により、ゴルファーは、フェースを含むパターヘッドを常に所望の方向に向けて正確にスウィングできると共に、この方向性の向上と相まって常にボールの重心に当てられるため、カップなどのへの距離感に合ったパッティングを正確に行うことが可能となる。従って、正確な方向性および距離感が容易に得られようになる。
尚、前記パターヘッドは、純鉄、軟鉄、軟鋼、ステンレス鋼、アルミニウム合金、あるいはチタン合金などの鍛造材、切削材、または鋳造材からなる。また、方向指示棒は、円柱形の他、四角柱や六角柱などの形態でも良い。
【０００９】
また、本発明には、前記方向指示棒は、その軸心が前記パターヘッドの重心を通過する、パターゴルフクラブ(請求項２)も含まれる。
これよれば、方向指示棒の軸方向に沿ってパターヘッドをスウィングすることで、当該パターヘッドが左右方向に振れることなく、スウィングする方向とパターヘッドの重心とが一致したフェースの表面でボールに当たり、打球の中心を係るボールの重心またはその直下の位置に当てることを目視で確認することができる。従って、正確な方向性および距離感が一層容易に得られる。
【００１０】
更に、本発明には、前記方向指示棒は、前記パターヘッドのバックフェースにネジ結合されている、パターゴルフクラブ(請求項３)も含まれる。
これよれば、方向指示棒の一端に刻設した雄ネジをパターヘッドのバックフェースに設けた雌ネジ孔にネジ結合することで、方向性および距離感に優れたパターゴルフクラブとすることができる。しかも、練習時に種々の長さの方向指示棒をネジ込んで使ったり、試合時に所望のものを使うこともできる。
尚、上記雌ネジ孔は、その軸心がパターヘッドの重心を貫通し且つフェースと直交するように穿設される。また、方向指示棒は、パターヘッドと別体であるため、軽量で且つ硬質の金属棒であって、表面を目立つ色彩とした形態が望ましい。
【００１１】
加えて、本発明には、前記方向指示棒は、精密鋳造により成形される前記パターヘッドのバックフェース側に一体に形成されている、パターゴルフクラブ(請求項４)も含まれる。これよれば、パターヘッドに方向指示棒が一体に形成されているため、常に正確な方向性および距離感を得ることが可能となる。
尚、上記方向指示棒を一体に有するパターヘッドは、例えば、ロストワックス鋳型に方向指示棒を含むパターヘッドのキャビティを形成し、係るキャビティに金属の溶湯を減圧吸引鋳造することで、成形することができる。
【発明を実施するための最良の形態】
【００１２】
以下において、本発明を実施するための最良の形態について説明する。
図１は、本発明における１形態のパターヘッド１を示す斜視図である。
パターヘッド１は、例えば軟鉄などからなり、図１に示すように、互いにほぼ平行なフェース２およびバックフェース４と、後者のソール６寄りから後方に延びる平面視がほぼ半円形のバック片５と、ホーゼル９とを備えている。上記バックフェース４のトゥ７とヒール８との中間には、方向指示棒１０が後方に向かって突出している。尚、ホーゼル９が、図示しないシャフトに固定されて、本発明のパターゴルフクラブが形成される。また、ホーゼル９を省略し、パターヘッド１のヒール８側の上面でシャフトに直接固定しても良い。更に、バック片５を省略し、全体が板形状のパターヘッドとしても良い。
【００１３】
図２の垂直断面図で示すように、ソール６を仮想の水平面上に載置した場合、フェース２は３〜５度のロフト角θ１が付されている。また、図２中の一点鎖線で示すように、方向指示棒１０の軸心(中心線)１２は、パターヘッド１の重心Ｇを通過すると共に、フェース２と直交(θ２が９０度)する。
係る方向指示棒１０は、例えばステンレス鋼などの丸棒からなり、その先端に先細形状にした雄ネジ部１１が予め刻設されている。一方、パターヘッド１には、上記θ２に合致し、且つその重心Ｇを通過するような軸心を有する雌ネジ孔をバックフェース４の中央付近に形成しておくことで、図１，２に示すように、方向指示棒１０をパターヘッド１にネジ結合することができる。
尚、係るネジ結合による場合、練習時にいろいろな長さの方向指示棒１０をパターヘッド１に取り付け、試合の際には所望のものを使用することもできる。
【００１４】
次に、以上のようなパターヘッド１を備えたパターゴルフクラブの使用方法について説明する。
図３に示すように、図示しない芝生を有する平坦地ＧＬ１上にボールＢがあり、図示しないカップまたはその付近に約１０メートル以下の短い距離で係るボールＢを打とうとする場合がある。その際、図示のように、方向指示棒１０がほぼ水平になる程度に、バック片５側を持ち上げ、フェース２を垂直姿勢にする。この結果、方向指示棒１０の軸心１２は、図３に示すように、パターヘッド１の重心Ｇを通過し且つ平坦地ＧＬ１の地表と直角姿勢のフェース２と直交している。そして、方向指示棒１０の長手方向に沿って、パターヘッド１を図３で右側にリリースした後、逆向きの左側に同心円状にスウィングする。
【００１５】
その結果、パターヘッド１のフェース２の中心部がボールＢに衝突し、図３中の矢印で示すように、係る打球の中心がボールＢの重心を含む面(水平面)に当たる。これにより、ボールＢは、平坦地ＧＬ１上を狙った方向に沿って移動する。尚、傾斜地や芝目に応じてボールＢの軌跡を曲げるには、望みの方向に方向指示棒１０が向くようにすれば、容易に打球の方向をコントロールすることが可能となる。
以上のような動作は、技量の異なる様々なゴルファーであっても、シャフトを両手で握り、下向きにパターヘッド１および方向指示棒１０を目視しながら、容易に行うことができる。しかも、方向指示棒１０は、細長いため、リリースやスウィング時の視認において、その軸方向に沿っての上記動作をスムーズに仮想しつつパッティングを行うことができる。
【００１６】
一方、図４に示すように、傾斜地ＧＬ２の芝生ｓ上にボールＢがあり、図示しないカップまたはその付近に前記同様の距離で係るボールＢを打とうとする場合もある。この場合、図４において左右方向に沿ってボールＢを打つ際には、登りまたは下りの転がりを考慮すれば、図３と同様にして打つことができる。
ところで、図４に示すように、傾斜地ＧＬ２の傾斜と交差する奥行き方向に沿ってボールＢを打とうとする際には、ボールＢの重心Ｂｇを通る本来の垂直軸Ｂｈに対し、垂直線Ｂｖは傾斜地ＧＬ２の傾斜角度分だけ低い側にズレている。
例えば、図４の手前に示すように、パターヘッド１のソール６を傾斜地ＧＬ２の上に載せ、指示方向棒１０をボールＢの重心Ｂｇに向かうようにして当該パターヘッド１をスウィングすると、前記図８の場合と同様に重心Ｂｇ直下の位置Ｄに打球の中心が当たる。このため、ボールＢは、狙った方向よりも左奥方向にカーブしてしまう。
【００１７】
そこで、図５に示すよう、パターヘッド１のソール６のうちトゥ７付近のみを傾斜地ＧＬ２に接近させ且つヒール８側を浮かせた姿勢で、且つフェース２を垂直姿勢として、方向指示棒１０をボールＢの重心Ｂｇを通る狙い方向に向くようにして、当該パターヘッド１をスウィングする。この際、ソール６の大半が傾斜地ＧＬ２から離れていても、ゴルファーは、細長い方向指示棒１０によって、リリースおよびスウィングの方向性(軌跡)を正確に描くことができる。
その結果、パターヘッド１のフェース２がボールＢに当たると、当該ヘッド１の打球中心は、ボールＢの垂直線Ｂｖにおける重心Ｂｇの直下の目標点Ｍ付近に至る。このため、ボールＢは、狙った方向通りの傾斜地ＧＬ２の奥行き方向の位置に移動する。従って、正確な方向に打球できると共に、これに伴って所望の距離ごとのパッティングを精緻に行うことも可能となる。
【００１８】
本発明には、図６に示すように、方向指示棒１０を一体に有するパターヘッド１ａを備えたパターゴルフクラブも含まれる。係るパターヘッド１ａは、フェース２、バックフェース４、バック片５、および方向指示棒１０を含む相似形のロウ模型を用いるロストワックス精密鋳造によって成形することができる。
即ち、複数個の上記ロウ模型を形成し、係るロウ模型をロウ製の棒材にツリー形状に溶着してツリー模型とし、これを耐火物で包囲して乾燥した後、脱ロウおよび焼成する。これにより、上記棒材の跡に湯道と、その周囲に図６のパターヘッド１ａと相似形である複数のキャビティとを有する通気性鋳型が得られる。
係る鋳型を覆った気密チャンバを、予め炉内で金属原料を溶解した誘導炉などの上方に配置させた後、金属溶湯を湯道から各キャビティ中に減圧吸い上げ鋳造する。そして、上記鋳型を壊すことで、図６のようなパターヘッド１ａを複数個同時に精度および効率良く得ることができる。
【００１９】
尚、前記パターヘッド１，１ａは、精密鋳造に限らず、各種の金属素材を切削加工、熱間および冷間鍛造の少なくとも一方、あるいはこれらに加えて仕上げ加工や表面処理を施すことで製造することも可能である。
また、パターヘッドの形状は、バックフェースのトゥおよびヒール寄りにのみ一対のバック片が対称に延びた形態としても良い。
本発明は、その趣旨を逸脱しない範囲で種々の変更が可能である。
【図面の簡単な説明】
【００２０】
【図１】本発明のクラブに用いる１形態のパターヘッドを示す斜視図。
【図２】上記パターヘッドの垂直断面図。
【図３】上記パターヘッドを平坦地で用いる場合を示す概略図。
【図４】上記パターヘッドを傾斜地で用いる場合を示す概略図。
【図５】上記パターヘッドを傾斜地で正確に用いる場合を示す概略図。
【図６】異なる形態のパターヘッドを示す垂直断面図。
【図７】従来のパターヘッドを示す斜視図。
【図８】従来のパターヘッドを傾斜地で用いる場合を示す概略図。
【符号の説明】
【００２１】
１，１ａ…パターヘッド、                  ２…………フェース、
４…………バックフェース、                １０………方向指示棒、
１２………軸心、                          θ１………ロフト角、
Ｇ…………パターヘッドの重心
【図１】
2005087554.tif 000003
【図２】
2005087554.tif 000004
【図３】
2005087554.tif 000005
【図４】
2005087554.tif 000006
【図５】
2005087554.tif 000007
【図６】
2005087554.tif 000008
【図７】
2005087554.tif 000009
【図８】
2005087554.tif 000010